(57)【特許請求の範囲】
【請求項１】
商品情報及びキャンペーン情報の情報データが記録された非接触ＩＣメモリが包装容器又は商品本体に取り付けられた非接触ＩＣメモリ付き情報提供媒体と、情報データを非接触ＩＣメモリから読み出す読み出し手段と、読み出し手段が接続され、ネットワークに繋がった端末器と、端末器から送信された、端末器に入力された顧客データ及び読み出し手段から読み出した情報データをデータベースに格納する情報統括サーバと、を有する情報提供システムを用いて、端末器から情報統括サーバに顧客データ及び情報データを送信することによりキャンペーン応募の処理がなされることを特徴とするキャンペーン応募方法。
【請求項２】
商品情報及びキャンペーン情報の情報データが記録された非接触ＩＣメモリが包装容器又は商品本体に取り付けられた非接触ＩＣメモリ付き情報提供媒体と、情報データを非接触ＩＣメモリから読み出す読み出し手段と、読み出し手段が接続され、ネットワークに繋がった端末器と、端末器から送信された、端末器に入力された顧客データ及び読み出し手段から読み出した情報データをデータベースに格納する情報統括サーバと、を有する情報提供システムを用いて、端末器から情報統括サーバに送信された顧客データ及び情報データの回数が必要累積数に達した場合にキャンペーン応募の処理がなされることを特徴とするキャンペーン応募方法。
【発明の詳細な説明】
【０００１】
【発明の属する技術分野】
本発明は、包装容器や商品自体に情報データを記録し読み出しできる非接触ＩＣメモリ付き情報提供媒体を取り付け、包装された商品等に関する情報データをＩＣメモリから読み出して利用できるようにした非接触ＩＣメモリ付き情報提供媒体及びこの非接触ＩＣメモリ付き情報提供媒体を取り付けた商品、並びにその商品に関する情報、キャンペーン情報、企業情報、店舗情報等を提供する情報提供方法に関する。
【０００２】
【従来の技術】
商品自体及び商品の包装容器（以下両者を包含して商品と記す）には、商品名、製造者情報、製造情報、バーコード等の商品情報の他に、景品等の当たりはずれ情報、キャンペーン時の応募券マーク、応募シール等の商品情報以外の情報が印刷されている。
【０００３】
特に商品情報以外の情報を商品等に印刷するには、デザインスペースの制約を受けるとともに、顧客がキャンペーン等に応募する際において、商品等からの応募券部の切り取り、シール部の剥がし取り、応募券の収集、応募シート台紙への添付や、応募券やシールの郵送等の手間が掛かる。
【０００４】
また、現状のように、景品等の当たりはずれ情報、キャンペーン時の応募券マーク、シール等の商品情報以外の情報が、容器への印刷により提示されている場合には、当たり券や応募券や応募シール等のコピーや偽造、あるいは不正使用等のトラブルが発生したり、また、その発生が見過ごされてしまう危険性もある。
【０００５】
また、商品の販売キャンペーンを実施する製造業者や販売業者にとっても、多数の顧客から応募されてくる応募データのデータ処理やデータ処理後の対応に手間が掛かるとともに、応募により入手した顧客情報データ等が旨く活用され難いといった不都合もある。
【０００６】
【発明が解決しようとする課題】
本発明は、商品に関する商品情報や、当たりはずれ情報、応募券マーク、応募シール等の商品情報以外の情報を、印刷以外の形態を用いて包装容器に添付して顧客に提示できるようにすることによって、容器がデザインスペースの制約をできる限り受けないようにするとともに、顧客がキャンペーン等に応募する際における応募券やシール券の剥がし取りや、収集、台紙への添付、郵送等の手間を省くことができるようにし、また当たり券や応募券等のコピーや偽造、不正使用等の発生を回避するようにすることにあり、一方、応募券等を受け取った側でも、応募券の枚数等の条件確認、真正の応募券であるかの判断、さらには集計作業等の様々な処理の効率化ができるようにし、また、応募券等の受付時間や読み取ったデータを２次利用することにより付加的なキャンペーン等を可能にし、更に商品自体や包装容器によって包装されている商品情報を、顧客や商品流通業者等に対して効率的に提供できるようにすることにある。
なお、上記の応募券を受け取った側、とは、販売キャンペーンを実施する側のことであり、製造業者や販売業者、あるいはそれらの依頼を受けた処理業者等のことである。
【０００７】
【課題を解決するための手段】
本発明の請求項１に係る発明は、商品情報及びキャンペーン情報の情報データが記録された非接触ＩＣメモリが包装容器又は商品本体に取り付けられた非接触ＩＣメモリ付き情報提供媒体と、情報データを非接触ＩＣメモリから読み出す読み出し手段と、読み出し手段が接続され、ネットワークに繋がった端末器と、端末器から送信された、端末器に入力された顧客データ及び読み出し手段から読み出した情報データをデータベースに格納する情報統括サーバと、を有する情報提供システムを用いて、端末器から情報統括サーバに顧客データ及び情報データを送信することによりキャンペーン応募の処理がなされることを特徴とするキャンペーン応募方法である。
【０００８】
また発明の請求項２に係る発明は、商品情報及びキャンペーン情報の情報データが記録された非接触ＩＣメモリが包装容器又は商品本体に取り付けられた非接触ＩＣメモリ付き情報提供媒体と、情報データを非接触ＩＣメモリから読み出す読み出し手段と、読み出し手段が接続され、ネットワークに繋がった端末器と、端末器から送信された、端末器に入力された顧客データ及び読み出し手段から読み出した情報データをデータベースに格納する情報統括サーバと、を有する情報提供システムを用いて、端末器から情報統括サーバに送信された顧客データ及び情報データの回数が必要累積数に達した場合にキャンペーン応募の処理がなされることを特徴とするキャンペーン応募方法である。
【００２２】
【発明の実施の形態】
本発明の非接触ＩＣメモリ付き情報提供媒体の実施の形態を、以下に詳細に説明する。
【００２３】
図１（ａ）〜（ｂ）は、非接触ＩＣメモリ付き情報提供媒体を商品に設けた一例を示す外観斜視図であり、（ａ）は、紙箱等の紙器容器、あるいはプラスチック容器（ボトル容器を含む）、ガラス容器等の硬質包装容器Ａの一面に非接触ＩＣメモリ付き情報提供媒体１を取り付けた容器であり、（ｂ）は、合成樹脂フィルム、紙シート、金属箔等、あるいはこれら複合材料等を用いて製袋したパウチ等の軟包装容器Ｂの一面に非接触ＩＣメモリ付き情報提供媒体１を取り付けた容器である。
【００２４】
また、図１（ｃ）は、ラベル、シール等のシート類Ｃの一面に非接触ＩＣメモリを取り付けた情報提供媒体１であり、このシート類Ｃを、適宜に硬質包装容器Ａ、軟包装容器Ｂ等の包装容器本体に添付するものである。
【００２５】
上記非接触ＩＣメモリ付き情報提供媒体１は、包装容器Ａ、Ｂの表面あるいは内面、または、その商品自体及び商品の容器を構成する構造体の材料層内あるいは構造体が積層材料である場合には積層材料の層間等に取り付け固定されている。
【００２６】
また、ラベル、シール等のシート類Ｃ（その裏面に感熱接着層、感圧接着層（粘着材層）を積層していてもよい）の場合には、その表面あるいは裏面、またはそのシート類Ｃの材料層内あるいはシート類Ｃが積層材料である場合には積層材料の層間等に取り付け固定されている。
【００２７】
上記非接触ＩＣメモリ付き情報提供媒体１は、包装容器Ａ、Ｂあるいはシート類Ｃに用いる材料が遮光性材料であれば、その包装容器Ａ、Ｂの容器内面あるいはシート類Ｃの裏面、あるいはその材料層内あるいは積層材料層間に取り付けることにより視覚的に隠蔽することができる。また、包装容器Ａ、Ｂあるいはシート類Ｃの表面に取り付けた場合には、適宜に遮光性塗料をコーティングしたり、遮光性シートを貼着したりすることにより視覚的に隠蔽することができる。
【００２８】
上記非接触ＩＣメモリ付き情報提供媒体１は、例えば、小型のＩＣメモリチップ（サイズとして特に限定はしないが、例えば１辺または直径が１ｍｍ以下）が使用でき、その他に、例えばＩＣメモリの回路部又は／及びアンテナ部又は／及びメモリ部を導電性インキと絶縁性インキ（あるいは電気抵抗インキ）とを用いて製版印刷方式にて直接、商品及び商品の包装容器本体に形成した非接触ＩＣメモリ付き情報提供媒体１や、所定のチップ基板上に製版印刷方式にてＩＣメモリを形成したＩＣメモリチップであってもよい。
【００２９】
上記非接触ＩＣ付き情報提供媒体に使用する非接触ＩＣメモリは、アンテナ部とメモリ部と、アンテナ部とメモリ部とを接続する導電回路部とより構成され、アンテナ部はメモリ部への情報データの書き込み記録や、記録した情報データをメモリ部から読み出す動作電力を供給するための誘導起電力を発生させる部分である。
【００３０】
情報端末器（パーソナルコンピュータなど）に接続した非接触ＩＣメモリ付き情報提供媒体１に対して書き込み記録や読み出しができる書き込み読み出し手段（リーダーライター）は、その手段のアンテナ部から発信する商品情報や商品情報以外の情報のデータに基づく所定周波数の電波による書き込み信号、あるいは読み出し信号により、所定間隔を保持して対峙する非接触ＩＣメモリのアンテナ部に誘導起電力による書き込み信号、あるいは読み出し信号を生じさせる。
【００３１】
そして、非接触ＩＣメモリ付き情報提供媒体１のメモリ部に商品情報や商品情報以外の情報がデータとして書き込み記録され、あるいはメモリ部に記録されている商品情報や商品情報以外の情報がデータとして書き込み読み出し手段に読み出される。
【００３２】
上記ＩＣメモリは、書き込み読み出し手段（リーダー／ライター）によって、書き込み記録（書き換えや再書き込み記録を含む）と読み出しの両方が可能であってもよいが、本発明においては、情報の改ざんや不正使用を防止するために、書き込み読み出し手段（リーダーライター）によって、予め書き込み記録されている情報データの読み出しのみが可能であることが適当であり、その場合の情報データは、その対象商品の製造者（または販売者）によって予めＩＣメモリに書き込み記録される。
【００３３】
上記非接触ＩＣメモリ付き情報提供媒体１には、包装対象商品に関する商品情報や、それら商品情報以外に、その商品のキャンペーン情報などが情報データとして記録されているが、包装対象商品に関する商品情報のみが記録されていてもよいし、商品のキャンペーン情報等の包装対象商品に関する商品情報以外の情報のみが記録されていてもよい。
なお、ＩＣメモリ（またはＩＣメモリチップ）への情報の書き込み記録は、商品及び商品の包装容器本体への非接触ＩＣメモリ付き情報提供媒体１の取り付け前でもよいし、取り付け後でもよい。
また、書き込み記録の作業は、商品を製造したり、製造した商品を包装する商品製造者１１、または包装容器本体を製造したり、製造した包装容器本体にＩＣメモリ１（またはＩＣメモリチップ）を取り付ける包装容器製造者１２（コンバータ）のいずれかが、書込手段（図示せず）を用いて行うことができる。
【００３４】
上記非接触ＩＣメモリ付き情報提供媒体１に記録される包装対象商品に関する商品情報としては、例えば、商品名称、商品価格、製造者、販売者、住所、電話番号、あるいは製造ロット、製造日付、製造機械、製造担当者等の製造情報、あるいは調理レシピ、カロリー、賞味期限、お知らせ情報、景品の当たりはずれや応募情報等のキャンペーン情報、店舗情報、あるいは原材料名、原材料生産者名、原産地名、あるいは容器本体材質、分別回収、ライフサイクルインベントリー情報、アセスメント情報、リサイクル回数等の情報が記録されているが、これら情報に限定されるものではない。
【００３５】
また、上記非接触ＩＣメモリ付き情報提供媒体のＩＣメモリに記録される商品のキャンペーン情報等の包装対象商品に関する商品情報以外の情報として、景品の当たりはずれ情報（当たりはずれ券の情報）、キャンペーン応募情報（応募券や応募シール券の情報）等があるが、これらに限定されるものではない。
また、非接触ＩＣメモリ付き情報提供媒体は、ラベル化、シール化、札化、ステッカー化、ボトルネック化して使用することができる。上記の札化としては、例えば値札化がある。値札はＩＣメモリを備える枠状のものとしておき、枠内に人間が視認できるように価格を表示するという構成にすることにより、日々の価格変更も枠内の価格のみをシールを上から重ね貼りする等の方法で変更することができ、安価に対応することができる。
また、応募に用いられる非接触ＩＣメモリ付き情報提供媒体の場合、視覚的に、「応募券」というような具体名が入る場合だけでなく、特定のマーク、文字、記号等が付されている部分、即ち、視覚的に識別できる状態の部分を「応募券」ということはもちろんである。
【００３６】
次に、上記非接触ＩＣメモリ付き情報提供媒体を用いた本発明の商品情報提供方法（システム）の実施の形態を、以下に詳細に説明する。
【００３７】
図２は、本発明の商品情報提供方法の実施の形態を説明するシステムブロック図であり、図中、１１は非接触ＩＣメモリ付き情報提供媒体が用いられて包装される対象商品を製造する商品製造者、１２はその非接触ＩＣメモリ付き情報提供媒体（またはラベル、シール等の非接触ＩＣメモリ付きシート類と、そのシート類を添付した包装容器）を製造加工する包装容器製造者（容器加工業者；コンバータ）、１３は対象商品の販売（あるいはキャンペーン、応募等）を行う店舗（販売者）、１４は非接触ＩＣメモリ付き情報提供媒体が用いられて包装された商品、１５は対象商品を購入する顧客、１６は販売店舗内のレジスタ等の端末器に接続した書き込み読み出し手段（または読み出し手段）である。
なお、図中、包装容器製造者１２と商品製造者１１と店舗１３（販売者）とを結ぶ矢印点線は、商品及び商品の包装容器及びその容器に包装された非接触ＩＣメモリ付き包装商品の物流を示す。
【００３８】
また、図２中、２０は店舗（販売者）の専用端末器の書き込み読み出し手段１６（または読み出し手段）から送信される非接触ＩＣメモリ付き情報提供媒体１のＩＣメモリに記録されている情報を格納供給し、またはＩＣメモリに記録すべき情報や、店舗（販売者）の専用端末器の画面に出力表示するための情報や、それら情報をデータ処理するための情報等を格納供給するデータベースであり、例えば、非接触ＩＣメモリ付き情報提供媒体１のＩＣメモリに記録するための上記商品情報や商品情報以外の各種情報や各ＩＣメモリ１本体の属性情報（メモリタグとしてのタグ情報）等を格納供給するＩＣメモリデータベース２１と、応募情報等の顧客情報を格納供給するデータベース２２と、顧客に関する情報の中から抽出された個人情報を格納供給する個人情報データベース２３とから構成される。
【００３９】
また、図２中、３０は、店舗（販売者）専用端末器の書き込み読み出し手段１６（または読み出し手段）から送信されるＩＣメモリに記録されている情報をデータベース２０に格納したり、データベース２０（２１、２２、２３）に格納されている情報を、店舗（販売者）専用端末器の画面上に出力表示したり、商品自体及び包装容器に取り付けたＩＣメモリに対して書き込み記録したりするために供給する情報統括データサーバであり、４１は、商品製造者と提携する支援（サービス）業者である。
【００４０】
また、図２中、５０は、インターネート等のネートワーク回線であり、商品製造者１１と、包装容器製造者１２と、店舗１３（販売者）の書き込み読み出し手段１６を接続して制御する専用端末器と、情報統括データサーバ３０と、支援（サービス）業者４１とをネットワーク接続している。なお、非接触ＩＣメモリ付き情報提供媒体のＩＣメモリ（またはＩＣメモリチップ）への情報の書き込み記録は、包装容器本体及び商品へのＩＣメモリの取り付け前でもよいし、取り付け後でもよいが、書き込み記録の作業は、商品を製造したり、製造した商品を包装する商品製造者１１、または包装容器本体や商品を製造したり、製造した包装容器本体等に非接触ＩＣメモリ付き情報提供媒体１（またはＩＣメモリチップ）を取り付ける包装容器等の製造者１２（コンバータ）のいずれかが、書込手段（図示せず）を用いて行うことができ、また、その書き込むための情報は、商品製造者１１または包装容器製造者１２に設置された書込手段（図示せず）とネットワーク接続している情報統括データサーバ３０を介してデータベース２０のＩＣメモリに記録するための上記商品情報や商品情報以外の各種情報等を格納供給するＩＣメモリデータベース２１から取り込むことができる。
【００４１】
上記非接触ＩＣメモリ付き情報提供媒体１に記録された情報を読み出す読出手段１６に接続する店舗（販売者）などに設置された端末器と、情報統括データサーバ３０（及びデータベース２０）との接続（接続認証）に用いる識別情報としては、ＩＤコード等識別情報を用いてもよいし、ＩＣメモリに記録されている上記商品情報又は商品情報以外の情報（又はその一部情報）を、ＩＣメモリの個別タグ情報として、それを接続（接続認証）用の識別情報として用いてもよい。
【００４２】
本発明の商品情報提供方法としては、請求項１３に係る発明のように、商品提供者１３（店舗、販売者）が、本発明の非接触ＩＣメモリ付き情報提供媒体を商品１４に直接或いは商品の包装容器本体に取り付けられた非接触方式にて情報データの書き込み記録と読み出しが可能なＩＣメモリ１から、ＩＣメモリタグ情報、顧客情報、顧客の個人情報等の情報を格納するデータベース２０に対して、それら情報の受与、供給を行う情報統括データサーバ３０とネットワーク接続する端末器に接続する読出手段１６を用いて商品情報を読み出して、顧客１５に対して、その商品情報、キャンペーン情報、企業情報、店舗情報等を提供することを特徴とするものである。
【００４３】
また、本発明の情報提供方法としては、請求項１４に係る発明のように、商品提供者１３（店舗、販売者）が、本発明の非接触ＩＣメモリ付き情報提供媒体を商品１４の包装容器本体、或いは商品自体にに取り付けられた非接触方式にて情報データの書き込み記録と読み出しが可能なＩＣメモリから、ＩＣメモリタグ情報、顧客情報、顧客の個人情報等の情報を格納するデータベース２０に対して、それら情報の受与、供給を行う情報統括データサーバ３０とネットワーク接続する端末器に接続する読出手段１６を用いてキャンペーン当選情報などの情報を読み出し、顧客１５に対して、その当選情報などの情報の提供を行うことを特徴とするものである。
【００４４】
また、本発明の情報提供方法としては、請求項１５に係る発明のように、商品提供者１３（店舗、販売者）が、本発明の非接触ＩＣメモリ付き情報提供媒体を商品１４或いは商品の包装容器本体に取り付けられた非接触方式にて情報データの書き込み記録と読み出しが可能なＩＣメモリから、ＩＣメモリタグ情報、顧客情報、顧客の個人情報等の情報を格納するデータベース２０に対して、それら情報の受与、供給を行う情報統括データサーバ３０とネットワーク接続する端末器に接続する読出手段１６を用いてキャンペーン応募情報などサービス情報を読み出し、顧客１４に対して、そのサービス情報を提供するとともに、前記端末器を用いて顧客１５の個人情報を情報統括データサーバ３０に送信してデータベース２０に記録し、キャンペーン応募などサービス情報、店舗情報、商品情報等に対応する登録をすることを特徴とするものである。
【００４５】
次に、本発明の情報提供方法（システム）の具体的な一例としては、図２に示すように、店舗１３のレジスタ近傍に非接触ＩＣメモリ付き情報提供媒体１に記録されている情報を読み出すための動作制御部としての専用端末器（例えばパソコン）と、それに接続した書き込み読み出し手段１６が設置され、商品或いは商品を包装した包装容器に取り付けられた非接触ＩＣメモリ付き情報提供媒体１をスキャニングすることにより、ＩＣメモリに記録されている当該商品の商品情報又は／及びその商品情報以外の情報（当該商品のキャンペーン情報など）が、専用端末器とネットワーク接続する情報統括データサーバ３０にデータ転送される。
【００４６】
顧客は、当該商品における景品や応募における当たりはずれ情報を、情報統括データサーバ３０から読み出し、その専用端末器の画面に出力表示して確認することができ、情報統括データサーバ３０は、ＩＣメモリのメモリタグ情報と商品情報等を格納するＩＣメモリデータベース２１を有し、店舗の上記専用端末器（読み出し端末）とは通信回線等のネットワークにて接続しており、これにより読み出し端末器毎のサーバを必要とせず、安価に設置することが可能である。
【００４７】
また、非接触ＩＣメモリ付き情報提供媒体１のＩＣメモリに直接書き込まれた情報は、上記店舗１３の専用端末器（読み出し端末器）と接続した書き込み情報を格納するためのデータベースを有する独自のサーバを設け、例えば上記店舗１３の専用端末器（読み出し端末器）本体にデータベースと独自のサーバを設け、そのデータベースに読み出し格納するようにしてもよい。または、上記情報統括データサ
ーバ３０に設けたデータサーバ２０（２１、２２、２３）にインターネット等の通信回線を使用して、読み出し格納入手するようにしてもよい。
【００４８】
次に、本発明の情報提供方法（システム）の具体的な他の例としては、図２に示すように、応募券、応募シールの印刷の代わりに必要情報が書き込まれたＩＣメモリ（ＩＣメモリタグ）が取り付けてある商品（包装商品）を、上記のような専用端末器に接続した読出手段１６にて読み取ることにより、キャンペーンの登録、累積、応募が可能となる。
また、応募受付の処理時間短縮も可能となる。
【００４９】
応募は、専用端末器で商品に取り付けられた非接触ＩＣメモリ付き情報提供媒体１をスキャニングし、顧客データを入力することにより、そのデータはインターネットなどネットワークによる通信回路で繋がった個人情報データベース２３、商品情報が格納されたＩＣメモリタグデータベース２１等のデータベース２０を有したデータサーバ３０に送信されて応募がなされる。
【００５０】
累積応募も同様の処理を行い、必要累積数に達したら応募がなされる。顧客、販売者等は、端末器と繋がった外部出力装置である画面により確認することができる。
【００５１】
消費者データは、初期入力、または個人が確認できるカード（名前、住所、電話番号、年齢等）によりなされる。これらの情報は、商品製造者１１に送られ（ネットワーク回線を介して送信され）処理されるか、他の提携するサービス業者（組織）に送られて（ネットワーク回線を介して送信されて）処理される。
【００５２】
これらにより、顧客のキャンペーン応募の自動化が達成でき、応募により入手できる顧客情報等の活用も可能となる。
【００５３】
また、応募券、応募シールの印刷の代わりに必要情報が書き込まれたＩＣメモリのデータの読み込み応募とすることにより、当たりの印刷のコピー、応募券等の偽造、応募シールの不正使用や不正取得が防止できる。
【００５４】
また、非接触ＩＣメモリ付き情報提供媒体１のＩＣメモリへの書き込み制限（例えば１回のみ）、あるいは非接触ＩＣメモリ付き情報提供媒体１の商品や包装容器（包装紙を含む）本体を構成する材料内面または材料層内または積層材料の層間への取り付け、あるいはＩＣメモリの不正な取り外しによるメモリ破壊等により、不正使用や不正取得が防止できる。
【００５５】
【発明の効果】
本発明は、商品自体及び商品を包装した包装容器本体等に、その商品に関する情報や商品情報以外のキャンペーン情報等を電子データとして書き込み記録した非接触ＩＣメモリ付き情報媒体を添付して、その情報提供媒体ＩＣメモリから記録した情報を読み出すようにすることにより、商品販売キャンペーン等における顧客の応募情報のデータ登録や集計の自動化が可能となり、応募により入手した顧客情報の有効なデータ活用が可能となる。
【００５６】
また、非接触ＩＣメモリ付き情報提供媒体を容器本体の構造体内面や、その構造体の層内や構造体の積層部内に添付することにより、容器への情報印刷におけるデザインスペースの制約を解消でき、取り付けスペースの制約を受けずに非接触ＩＣメモリ付き情報提供媒体を添付することができる。
【００５７】
また、情報提供媒体のＩＣメモリへの情報の書き込みは、ＩＣメモリに対して直接に書き込むことも可能であるし、あるいはＩＣメモリの取り付けられた容器本体に印刷された情報とのリンクにより書き込みを行うことができるが、ＩＣメモリは、遮光性のある容器内面側や容器構造体層内や積層間に取り付けて視覚的に隠蔽することにより、その非接触ＩＣメモリ付き情報提供媒体及びそれに記録された情報等のコピーや偽造などの不正使用を防止したり、その情報にセキュリティ性を付与することができる。
【００５８】
また、本発明は、商品及び商品を包装した容器に取り付けたＩＣメモリに書き込み記録されている情報は、専用の端末器の読み取り手段により非接触にてデータとして読み取ることができ、読み取られた情報データは、登録したり、集計したり、累積したりして迅速にデータ処理することができる。
【図面の簡単な説明】
【図１】（ａ）、（ｂ）は本発明の非接触ＩＣメモリ付き情報提供媒体の説明図、（ｃ）は本発明の非接触ＩＣメモリ付き情報提供媒体に使用する非接触ＩＣメモリ付きシート類（ラベル、シール等）の説明図。
【図２】本発明の情報提供方法を説明するシステムブロック図。
【符号の説明】
Ａ…硬質包装容器  Ｂ…軟包装容器  Ｃ…シート類
１…非接触ＩＣメモリ付き情報提供媒体
１１…商品製造者  １２…包装容器製造者  １３…店舗
１４…非接触ＩＣメモリ付き情報提供媒体  １５…顧客  １６…端末器
２０…データベース  ２１…ＩＣメモリタグ情報データベース
２２…顧客情報データベース  ２３…個人情報データベース
３０…情報統括データサーバ
４１…提携サービス業者（他組織）
５０…ネットワーク
【図１】
0004719986.tif 000002
【図２】
0004719986.tif 000003